(57)【要約】【課題】    照明具から光が十分に照射されない部分が意図しない位置に形成されることを防止又は減少させることができる照明具を提供する。【解決手段】第１点及び第２点を両端とする曲線の一部である基準曲線部分に沿って電気的に発光する発光手段と、第１点側に存し内部空間を有する第１点側口金と、第２点側に存し内部空間を有する第２点側口金と、第１点側口金及び第２点側口金の一方又は両方の外面に形成された少なくとも２の電極部と、該少なくとも２の電極部に電気的に接続され、発光手段に給電することで発光手段を発光させる給電手段と、を備えてなり、給電手段が、第１点側口金の内部空間に少なくとも一部が収容された第１点側回路部と、第２点側口金の内部空間に少なくとも一部が収容された第２点側回路部と、第１点側回路部と第２点側回路部とを電気的に接続する接続配線と、第１点側回路部と第２点側回路部との間の少なくとも一部において接続配線を支持する支持部材と、を含んでなるものである、照明具である。【選択図】  図３
2015095308.tif 000002
【特許請求の範囲】
【請求項１】
曲線の上に存する異なる２点である第１点及び第２点を両端とする該曲線の一部である基準曲線部分に沿って電気的に発光する発光手段と、
第１点側に存し内部空間を有する第１点側口金と、
第２点側に存し内部空間を有する第２点側口金と、
第１点側口金及び第２点側口金の一方又は両方の外面に形成された少なくとも２の電極部と、
該少なくとも２の電極部に電気的に接続され、発光手段に給電することで発光手段を発光させる給電手段と、を備えてなり、
給電手段が、第１点側口金の内部空間に少なくとも一部が収容された第１点側回路部と、第２点側口金の内部空間に少なくとも一部が収容された第２点側回路部と、第１点側回路部と第２点側回路部とを電気的に接続する接続配線と、第１点側回路部と第２点側回路部との間の少なくとも一部において接続配線を支持する支持部材と、を含んでなるものである、照明具。
【請求項２】
前記支持部材が、接続配線を下から連続的に支持する支持面を有するものである、請求項１に記載の照明具。
【請求項３】
前記支持部材が、接続配線が連続する方向に対して垂直な平面による断面において前記支持面の両側に前記支持面から立ち上がるように形成される側方支持面を有するものである、請求項２に記載の照明具。
【請求項４】
前記支持部材が、長手方向に沿って連続して内部に形成された内部空間と、該内部空間を外部空間と連通させるように該長手方向に沿って連続して形成された連続連通部と、を有する該長手方向に連続した中空の棒状部材を含んでなり、
該内部空間を規定する該棒状部材の内面が前記支持面及び前記側方支持面を形成するものである、請求項３に記載の照明具。
【請求項５】
前記支持部材が、連続連通部としてスリットが軸に沿って形成された円筒部材を含んでなるものである、請求項４に記載の照明具。
【請求項６】
前記支持部材が、連続連通部としてスリットが長手方向に沿って形成された多角筒部材を含んでなるものである、請求項４に記載の照明具。
【請求項７】
一方側の開口と他方側の開口とを有し、一方側の開口には第１点側口金が取り付けられると共に他方側の開口には第２点側口金が取り付けられ、発光手段と給電手段とを内部に収容する中空の透明又は半透明な外管を備えてなるものである、請求項１乃至６のいずれか１に記載の照明具。
【請求項８】
前記支持部材に取り付けられ前記外管の内面に支持されることで前記支持部材を支持する支持部材支持手段を備えるものである、請求項７に記載の照明具。
【請求項９】
支持部材支持手段が発光手段も支持するものである、請求項８に記載の照明具。
【請求項１０】
支持部材支持手段が、長手方向に沿った相対する両縁が前記外管の内面に支持され両主表面を連絡するように開口が形成された板状部材を含んでなるものである、請求項８又は９に記載の照明具。
【請求項１１】
第１点側口金及び第２点側口金とは、所定の蛍光灯管の口金が接続可能なソケットに接続可能なものである、請求項１乃至１０のいずれか１に記載の照明具。
【発明の詳細な説明】
【技術分野】
【０００１】
本発明は、照明具に関し、より詳細には、照明具から光が十分に照射されない部分が意図しない位置に形成されることを防止又は減少させることができる照明具に関する。
【背景技術】
【０００２】
以前から、曲線（直線を含む）に沿って電気的に発光する発光手段を有する照明具が以前から用いられてきた（例えば、特許文献１参照）。
特許文献１は、『冷陰極蛍光管（ＣＯＬＤ ＣＡＴＨＯＤＥ ＦＬＵＯＲＥＳＣＥＮＴ ＬＡＭＰ，略してＣＣＦＬ）は、「電極を過熱せず放電する機能」と「蛍光機能」の２つの現象を利用した照明装置で、一般の蛍光灯（ＨＣＦＬ）に比べ細く、長寿命であり、消費電力が少なく、点滅に強く耐震性にも優れ、更に調光機能を有するものである。そのため、液晶画面等のバックライト等に使われ始めているが一般照明用としては、いまだ開発がなされていなかった。・・・・・これらの多くの利点を有する冷陰極管を一般照明用に開発した冷陰極管灯具（以下ＣＣＦＬ灯具という）を提供する』（特許文献１の段落番号０００２〜０００４）ためになされた発明が開示されている。具体的には、特許文献１は、「冷陰極管灯具は、蛍光灯取付具に通電ピンにより取付けられ、通電ピンの上流側は、通常の家庭用等の交流電源Ｓに接続されるように構成されており、冷陰極管灯具の構成は、冷陰極管本体の両端は、通電ピンにより蛍光灯取付具に導通され、冷陰極管灯具の透明、又は半透明の保護管の構成する空間内には、少なくとも１本以上〜複数本の冷陰極管本体が設けられ、冷陰極管本体の上部には支持板が設けられ、点灯用インバーター等の器具が取付けられており、加えて支持板は、冷陰極管本体の光の反射板として照度を高めており、又は蓄光体支持板とすることを特徴とする冷陰極管灯具。」（特許文献１の請求項１）を開示すると共に、「冷陰極管灯具１の上部には、点灯用インバーターに加え、突入電流抑制装置Ｐ、及び／又はノイズ防止装置Ｎを設けたことを特徴とする」（特許文献１の請求項２）ものも開示している。かかる特許文献１に開示の発明は「ＣＣＦＬ灯具１の保護管の内部にＣＣＦＬ管本体５と、点灯用インバーター６を 収納できるので外部機器の取付改造工事が不要である、加えて支持板は、冷陰極管本体の光の反射板として照度を高めている。」（特許文献１の段落番号０００９）という効果を奏する。
【先行技術文献】
【特許文献】
【０００３】
【特許文献１】特開２０１３−４５０８号公報（例えば、要約、発明の詳細な説明中の段落番号０００２〜０００９、００１４〜００２２、第１図〜第７図等）
【発明の概要】
【発明が解決しようとする課題】
【０００４】
特許文献１に開示の照明具（特許文献１にいう冷陰極管灯具）においては、冷陰極管本体の上部に設けられた支持板は冷陰極管本体の光の反射板として機能するものであるため、冷陰極管本体から発せられた光は反射板として機能する支持板により遮られることで照明具から光が十分に照射されない部分（特許文献１においては支持板（反射板）の両面のうち冷陰極管本体が面する面とは反対の面の方向。冷陰極管灯具の上部部分）が形成される。
このような照明具から光が十分に照射されない部分は、照明具の使用目的や使用分野によっては該部分が意図しない位置に形成されることにより、照明具の使用目的や使用分野を制限するため、照明具の汎用性を低下させたり普及を阻害することにもなり得る。
そこで、本発明では、照明具から光が十分に照射されない部分が意図しない位置に形成されることを防止又は減少させることができる照明具を提供することを目的とする。
【課題を解決するための手段】
【０００５】
本発明の発明者は、上記の問題を解決すべく、図１２（特許文献１における図１と同様の断面を示している）に示すような、反射板として機能する支持板を取り除いた照明具１０１を考えついた。しかしながら、図１２に示す照明具１０１においては、発光手段１０３（特許文献１にいう冷陰極管本体）から発せられた光Ｇの支持板による遮光はないものの、発光手段１０３から発せられた光Ｇは、発光手段１０３に給電することで発光手段１０３を発光させる給電部１０５（点灯用インバーターを含む。また、場合によっては突入電流抑制装置やノイズ防止装置を含むことがある。本発明では給電手段。）により遮られてしまうから、給電部１０５により光Ｇが十分に照射されない部分Ｊが意図しない位置に形成される可能性があることを発見した。このことは図１２において給電部１０５を別の位置に移動させても、その給電部１０５の位置に応じた光Ｇが十分に照射されない部分Ｊが形成されるから、その光Ｇが十分に照射されない部分Ｊが意図しない位置に形成されることがあり得る。
そこで本発明の発明者は、給電部１０５により形成される光Ｇが十分に照射されない部分Ｊをできる限り小さくすれば、給電部１０５により光Ｇが十分に照射されない部分Ｊが意図しない位置に形成される可能性を低下させることができることを思いついた。そして、図１３に示すように、両端に存する口金１０７ａ、１０７ｂの内面に凹部１０９ａ、１０９ｂを形成すると共に、給電部１０５を一方側回路部１０５ａと他方側回路部１０５ｂとに分割し、凹部１０９ａに一方側回路部１０５ａの一部又は全部を収容し、凹部１０９ｂに他方側回路部１０５ｂの一部又は全部を収容し、これら他方側回路部１０５ｂと一方側回路部１０５ａとを接続配線（不図示）により接続することで給電部１０５として機能させ、他方側回路部１０５ｂと一方側回路部１０５ａとの間で接続配線（不図示）を支持部材（不図示）により支持することで、給電部１０５により形成される光Ｇが十分に照射されない部分Ｊを小さくすることができ、給電部１０５により光Ｇが十分に照射されない部分Ｊが意図しない位置に形成される可能性を低下させることができることを見出し本発明を完成するに至った。
【０００６】
即ち、本発明の照明具（以下、「本照明具」という）は、曲線の上に存する異なる２点である第１点及び第２点を両端とする該曲線の一部である基準曲線部分に沿って電気的に発光する発光手段と、第１点側に存し内部空間を有する第１点側口金と、第２点側に存し内部空間を有する第２点側口金と、第１点側口金及び第２点側口金の一方又は両方の外面に形成された少なくとも２の電極部と、該少なくとも２の電極部に電気的に接続され、発光手段に給電することで発光手段を発光させる給電手段と、を備えてなり、給電手段が、第１点側口金の内部空間に少なくとも一部が収容された第１点側回路部と、第２点側口金の内部空間に少なくとも一部が収容された第２点側回路部と、第１点側回路部と第２点側回路部とを電気的に接続する接続配線と、第１点側回路部と第２点側回路部との間の少なくとも一部において接続配線を支持する支持部材と、を含んでなるものである、照明具である。
【０００７】
本照明具は、発光手段と、第１点側口金と、第２点側口金と、少なくとも２の電極部と、給電手段と、を備えてなる。
発光手段は、曲線（ここにいう曲線は直線を含む概念である）の上に存する異なる２点である第１点及び第２点を両端とする該曲線の一部である基準曲線部分（第１点と第２点とを両端とする曲線（直線を含む）の部分）に沿って電気的に発光するものであればよく何ら限定されるものではないが、例えば、冷陰極蛍光管や熱陰極蛍光管を例示することができる。
第１点側口金は、発光手段の第１点側に存し内部空間を有する。
第２点側口金は、発光手段の第２点側に存し内部空間を有する。
電極部は、第１点側口金及び第２点側口金の一方又は両方の外面に、少なくとも２個形成される。この少なくとも２個の電極部は、第１点側口金の外面のみに形成されても、第２点側口金の外面のみに形成されても、そして第１点側口金及び第２点側口金の両方の外面に形成されてもよい。
給電手段は、この少なくとも２個の電極部に電気的に接続されて、発光手段に給電することで発光手段を発光させる。
そして本照明具においては、給電手段が第１点側回路部と第２点側回路部と接続配線と支持部材とを含んでなる。給電手段が含む電気回路を第１点側回路部と第２点側回路部とに分け、接続配線により第１点側回路部と第２点側回路部とを電気的に接続することで第１点側回路部と第２点側回路部とを電気的に機能させる。支持部材がこの接続配線を第１点側回路部と第２点側回路部との間の少なくとも一部において支持することで、第１点側回路部と第２点側回路部とを安定的に電気的に接続することができる。そして、第１点側回路部の少なくとも一部を第１点側口金の内部空間に収容すると共に第２点側回路部の少なくとも一部を第２点側口金の内部空間に収容する。
こうすることで本照明具においては、給電手段の電気回路を第１点側回路部と第２点側回路部とに分割し、第１点側回路部及び第２点側回路部それぞれの少なくとも一部を各々の口金（第１点側口金、第２点側口金）の内部空間に収容することで、給電手段の電気回路を一体の回路部とする場合に比し、発光手段により発せられる光が回路部により遮られる部分を小さくすることができる。このように光が回路部により遮られる部分を小さくすることで、光が十分に照射されない部分が回路部により意図しない位置に形成される可能性を低下させることができ、本照明具においては光が十分に照射されない部分が意図しない位置に形成されることを防止又は減少させることができる。
【０００８】
本照明具においては、前記支持部材が、接続配線を下から連続的に支持する支持面を有するもの（以下、「支持面支持本照明具」という。）であってもよい。
こうすることで接続配線が連続的に下から支持されることで接続配線を確実かつ安定して支持することができ、第１点側回路部と第２点側回路部とを安定的に電気的に接続することができる。
【０００９】
支持面支持本照明具の場合、前記支持部材が、接続配線が連続する方向に対して垂直な平面による断面において前記支持面の両側に前記支持面から立ち上がるように形成される側方支持面を有するもの（以下、「側方支持面具備本照明具」という。）であってもよい。
こうすることで支持面の両側に立ち上がるように存する側方支持面により接続配線が支持面から外れることを防止し接続配線の支持を確実ならしめると共に、接続配線の両側に立ち上がるように存する側方支持面により接続配線に何らかの物が衝突等して接続配線を損傷させることを防止又は減少させることができ、第１点側回路部と第２点側回路部とを更に安定的に電気的に接続することができる。
【００１０】
側方支持面具備本照明具の場合、前記支持部材が、長手方向に沿って連続して内部に形成された内部空間と、該内部空間を外部空間と連通させるように該長手方向に沿って連続して形成された連続連通部と、を有する該長手方向に連続した中空の棒状部材を含んでなり、該内部空間を規定する該棒状部材の内面が前記支持面及び前記側方支持面を形成するもの（以下、「棒状部材支持本照明具」という。）であってもよい。
こうすることで支持部材が含む長手方向に連続した中空の棒状部材が、該長手方向に沿って連続して内部に形成された内部空間と、該内部空間を外部空間と連通させるように該長手方向に沿って連続して形成された連続連通部と、を有し、該内部空間を規定する該棒状部材の内面が前記支持面及び前記側方支持面を形成するので、該長手方向に沿って前記支持面及び前記側方支持面を容易に形成すると共に連続連通部を経て接続配線を該内部空間に該長手方向に沿って容易かつ確実に収容することができるので、接続配線の支持を確実かつ容易に行うことができる。
【００１１】
棒状部材支持本照明具の場合、前記支持部材が、連続連通部としてスリットが軸に沿って形成された円筒部材を含んでなるものであってもよい。
こうすることで円筒部材（中空な円柱部材）により支持部材が形成されるので、接続配線を多くの方向から取り囲む状態で接続配線を支持することが容易にできることから接続配線をうまく保護しつつ支持すると共に、支持部材が円筒により形成されることから支持部材に十分な強度をもたせやすい。
【００１２】
棒状部材支持本照明具の場合、前記支持部材が、連続連通部としてスリットが長手方向に沿って形成された多角筒部材を含んでなるものであってもよい。
こうすることで多角筒部材（中空な多角柱部材）により支持部材が形成されるので、多角筒部材の長手方向に沿った２の外辺部分の間の内面を支持面とすれば、その支持面の外側に側方支持面をうまく形成でき、加えて、該２の外辺部分の間の外面が形成する平面部分を支持部材の取付に用いることができる。
【００１３】
本照明具においては、一方側の開口と他方側の開口とを有し、一方側の開口には第１点側口金が取り付けられると共に他方側の開口には第２点側口金が取り付けられ、発光手段と給電手段とを内部に収容する中空の透明又は半透明な外管を備えてなるもの（以下、「外管具備本照明具」という。）であってもよい。
こうすることで両側（一方側の開口、他方側の開口）に第１点側口金と第２点側口金とが取り付けられた外管の内部に発光手段と給電手段とが収容されることで、照明具を小型化すると共に取り扱いを容易ならしめる。
なお、外管が「透明又は半透明」とは、発光手段により発せられる光が外管の外面から外側に照射されることをいう。
【００１４】
外管具備本照明具の場合、前記支持部材に取り付けられ前記外管の内面に支持されることで前記支持部材を支持する支持部材支持手段を備えるもの（以下、「支持部材支持手段具備本照明具」という。）であってもよい。
こうすることで支持部材に取り付けられた支持部材支持手段が外管の内面に支持されることで、外管の内面に対し支持部材の位置を確実に固定できるので、支持部材により接続配線を確実に支持することができる。なお、支持部材支持手段が外管の内面に支持されるとは、例えば、支持部材支持手段が外管の内面に当接することで支持される場合や、支持部材支持手段が外管の内面に取り付けられることで支持される場合や、支持部材支持手段と外管の内面とを一体に成形することで支持される場合等を挙げることができる。
【００１５】
支持部材支持手段具備本照明具の場合、支持部材支持手段が発光手段も支持するものであってもよい。
このように発光手段を支持部材支持手段が支持することで、発光手段を支持するための手段を省略又は簡略化することができる。
【００１６】
支持部材支持手段具備本照明具の場合、支持部材支持手段が、長手方向に沿った相対する両縁が前記外管の内面に支持され両主表面を連絡するように開口が形成された板状部材を含んでなるものであってもよい。
こうすることで板状部材の相対する両長縁が外管の内面に支持されることで外管の内面に対し支持部材の位置を確実かつ容易に固定できると共に、両主表面うちの一主表面に面する発光手段が発する光を該開口を経由して他主表面側に向けて照射できるので、他主表面側に光が十分に照射されない部分が意図しない位置に形成される可能性を低下させることができ、本照明具において光が十分に照射されない部分が意図しない位置に形成されることを防止又は減少させることができる。
【００１７】
本照明具においては、第１点側口金及び第２点側口金とは、所定の蛍光灯管の口金が接続可能なソケットに接続可能なものであってもよい。
こうすることで本照明具を既設の蛍光灯に替えて容易に用いることができる。
【図面の簡単な説明】
【００１８】
【図１】本発明の第１実施形態に係る照明具（本照明具）の平面図（一部省略）である。
【図２】図２（ａ）は図１のＡ−Ａ断面図であり、図２（ｂ）は図１のＢ−Ｂ端面図である。
【図３】図１のＦ−Ｆ断面図（一部省略）である。
【図４】本照明具の電気的な配線を示す図である。
【図５】本発明の第２実施形態に係る照明具（本照明具）の平面図（一部省略）である。
【図６】図６（ａ）は図５のＡ−Ａ断面図であり、図６（ｂ）は図５のＢ−Ｂ端面図である。
【図７】図５のＦ−Ｆ断面図（一部省略）である。
【図８】本発明の第３実施形態に係る照明具（本照明具）の平面図（一部省略）である。
【図９】図９（ａ）は図８のＡ−Ａ断面図であり、図９（ｂ）は図８のＢ−Ｂ端面図である。
【図１０】図８のＫ−Ｋ端面図である。
【図１１】図８のＦ−Ｆ断面図（一部省略）である。
【図１２】反射板として機能する支持板を取り除いた照明具を示す概念図である。
【図１３】本発明の基本概念を示す概念図である。
【発明を実施するための形態】
【００１９】
以下、本発明の実施の形態を図面を参照して説明する。しかしながら、これらによって本発明は何ら制限されるものではない。
【００２０】
（第１実施形態）
図１は、本発明の第１実施形態に係る照明具（本照明具）１１の平面図（一部省略）であり（想定される設置状態において本照明具１１を上から見たところを示している。なお、以下、図中、上方向を矢印Ｚ１にて、下方向を矢印Ｚ２にて、それぞれ示す。）、図２（ａ）は図１のＡ−Ａ断面図であり、図２（ｂ）は図１のＢ−Ｂ端面図であり、図３は図１のＦ−Ｆ断面図（一部省略）であり、そして図４は本照明具１１の電気的な配線を示す図である。なお、図１のＣ−Ｃ端面、Ｄ−Ｄ端面及びＱ−Ｑ端面は、図２（ｂ）に示されるＢ−Ｂ端面と同様の構造であり、そして図１のＥ−Ｅ断面は、図２（ａ）に示されるＡ−Ａ断面と同様の構造である。図１乃至図４を参照して、本照明具１１に関し説明する。
【００２１】
本照明具１１は、大まかには、中空な直円筒形状をなす外管２１と、外管２１の一端に取り付けられた一端側口金３１と、一端側口金３１の内面３１ａに取り付けられた一端側固定部材３３と、一端側固定部材３３に取り付けられた一端側回路部５３（内部構造は省略している）と、一端側固定部材３３に取り付けられた一端側板状部３８と、一端側固定部材３３に取り付けられた一端側係止部６１と、外管２１の他端に取り付けられた他端側口金４１と、他端側口金４１の内面４１ａに取り付けられた他端側固定部材４３と、他端側固定部材４３に取り付けられた他端側回路部５５（内部構造は省略している）と、他端側固定部材４３に取り付けられた他端側板状部４８と、他端側固定部材４３に取り付けられた他端側係止部６３と、一端側係止部６１に一端が係止されると共に他端側係止部６３に他端が係止された第１冷陰極蛍光管７１及び第２冷陰極蛍光管７２と、一端側回路部５３と他端側回路部５５とを電気的に接続する接続配線８１と、接続配線８１を内部空間８２に収容し支持する支持パイプ８５と、第１冷陰極蛍光管７１と第２冷陰極蛍光管７２と支持パイプ８５とを互いに固定する固定具９１と、一端側口金３１の外面３１ｂに取り付けられた一対の電極棒３７ａ、３７ｂと、他端側口金４１の外面４１ｂに取り付けられた一対の電極棒４７ａ、４７ｂと、を有してなる。
なお、図示及び理解を容易にするため、一対の電極棒３７ａ、３７ｂと一端側回路部５３とを電気的に接続する電気配線、一端側回路部５３及び他端側回路部５５と第１冷陰極蛍光管７１の両端とを電気的に接続する電気配線、そして一端側回路部５３及び他端側回路部５５と第２冷陰極蛍光管７２の両端とを電気的に接続する電気配線については図示を省略している（実際は、これらは図４に示すように電気的に接続されている。）。
【００２２】
外管２１は、ここでは透明なガラスによって形成されており、直径Ｒ１で高さＨ１の第１の直円柱から直径Ｒ２（Ｒ１＞Ｒ２）で高さＨ１の第２の直円柱を両直円柱の軸を一致させた状態でくり抜いた形状（直円筒形状）を有している。このように外管２１は、一端側開口と他端側開口とが開放されており、一端側開口を塞ぐように一端側口金３１が取り付けられると共に他端側開口を塞ぐように他端側口金４１が取り付けられることにより密閉された内部空間２２を形成している。なお、ここでは外管２１の材質は透明なガラスであるが、第１冷陰極蛍光管７１及び第２冷陰極蛍光管７２から発せられた光が外部へ照射される程度の透光性を有するものを広く用いることができ、例えば、磨りガラス、フロストガラス、ガラス自体が白濁したものを用いたもの、透明なガラスの内面に薄く塗装したもの等を例示できる。
【００２３】
一端側口金３１は、金属（ここではアルミニウム）により一体的に形成されており、有底無蓋の中空の直円筒形状を有しており、無蓋の開口から外管２１の一端側が内嵌され固定されている。一端側口金３１の内面３１ａ（外管２１の内部空間２２に面する面）には円盤形状の一端側固定部材３３（樹脂製）の一面が取り付けられると共に、一端側口金３１の外面３１ｂには一対の電極棒３７ａ、３７ｂの基端が取り付けられている。この一対の電極棒３７ａ、３７ｂが取り付けられた一端側口金３１は、ここではＪＩＳ規格のＧ１３に適合するものとしているが、それとは異なるもの（例えば、ＪＩＳ規格ＧＸ１６ｔ等）に適合するものとされてもよい。
他端側口金４１は、金属（ここではアルミニウム）により一体的に形成されており、有底無蓋の中空の直円筒形状を有しており、無蓋の開口から外管２１の他端側が内嵌され固定されている。他端側口金４１の内面４１ａ（外管２１の内部空間２２に面する面）には円盤形状の他端側固定部材４３（樹脂製）の一面が取り付けられると共に、他端側口金４１の外面４１ｂには一対の電極棒４７ａ、４７ｂの基端が取り付けられている。この一対の電極棒４７ａ、４７ｂが取り付けられた他端側口金４１は、ここではＪＩＳ規格のＧ１３に適合するものとしているが、それとは異なるもの（例えば、ＪＩＳ規格ＧＸ１６ｔ等）に適合するものとされてもよい。
【００２４】
一端側固定部材３３の他面（一端側口金３１の内面３１ａに取り付けられる面とは反対の面）の中心部分には一端側板状部３８が取り付けられている。一端側板状部３８は両主表面が長方形を略なす板状部材により形成されており、該長方形の一対の平行な２辺それぞれが外管２１の内周面に略当接している（前記の第２の直円柱の軸と該一対の平行な２辺の一方との間の距離と、該軸と該一対の平行な２辺の他方との間の距離と、が略等しく、該軸と該一対の平行な２辺とは略平行である。）。一端側板状部３８の両主表面のうち一主表面に面するように一端側固定部材３３の他面に一端側回路部５３が取り付けられると共に、該両主表面のうち他主表面に面するように一端側固定部材３３の他面に一端側係止部６１が取り付けられている。一端側板状部３８は、ここでは白色の樹脂（具体的には、ポリプロピレンやポリエチレンテレフタレート等）によって形成され、その他主表面側（第１冷陰極蛍光管７１及び第２冷陰極蛍光管７２からの光照射を受ける者が存在する場合が多い）から見たときに一端側回路部５３を隠したり（一端側回路部５３が見えることで見栄えが悪くなることを防止する）、第１冷陰極蛍光管７１及び第２冷陰極蛍光管７２からの光をその他主表面により反射することでその他主表面側への照射光量を増加させる効果を奏する。
一端側回路部５３は、後述するように他端側回路部５５と接続配線８１により電気的に接続されることにより、第１冷陰極蛍光管７１及び第２冷陰極蛍光管７２を点灯させるための電気回路を形成する。なお、ここでは図示及び理解を容易にするため一端側回路部５３は直方体形状として図示しているが（内部構造は省略）、これに限定されるものではなくいかなる形状であってもよい（例えば、一端側板状部３８の一主表面に面するように電子回路基板を配設し、該電子回路基板上に必要な電子素子や電子器具を目視可能（露出状態）に設けるようなものであってもよい。）。
一端側係止部６１は、柔軟な樹脂材料により形成され、一端側固定部材３３の該他面に取り付けられている。詳述すれば、一端側係止部６１は、第１冷陰極蛍光管７１の一端を係止するＵの字の樋に似た形状の第１一端係止部６１ａと、第２冷陰極蛍光管７２の一端を係止するＵの字の樋に似た形状の第２一端係止部６１ｂと、第１一端係止部６１ａと第２一端係止部６１ｂとを連結する中間部６１ｃと、を含んでなる。この第１一端係止部６１ａのＵの字の樋の内部に第１冷陰極蛍光管７１の一端が嵌入されることで該一端が支持されると共に、第２一端係止部６１ｂのＵの字の樋の内部に第２冷陰極蛍光管７２の一端が嵌入されることで該一端が支持されている。
【００２５】
他端側固定部材４３の他面（他端側口金４１の内面４１ａに取り付けられる面とは反対の面）の中心部分には他端側板状部４８が取り付けられている。他端側板状部４８は一端側板状部３８と同様の形状及び寸法を有しており、詳細には、両主表面が長方形を略なす板状部材により形成されており、該長方形の一対の平行な２辺それぞれが外管２１の内周面に略当接している（前記の第２の直円柱の軸と該一対の平行な２辺の一方との間の距離と、該軸と該一対の平行な２辺の他方との間の距離と、が略等しく、該軸と該一対の平行な２辺とは略平行である。また、他端側板状部４８と一端側板状部３８と第２の直円柱の軸とは同じ平面に略存している。）。他端側板状部４８の両主表面のうち一主表面に面するように他端側固定部材４３の他面に他端側回路部５５が取り付けられると共に、該両主表面のうち他主表面に面するように他端側固定部材４３の他面に他端側係止部６３が取り付けられている。他端側板状部４８は、ここでは白色の樹脂（具体的には、ポリプロピレンやポリエチレンテレフタレート等）によって形成され、その他主表面側（第１冷陰極蛍光管７１及び第２冷陰極蛍光管７２からの光照射を受ける者が存在する場合が多い）から見たときに他端側回路部５５を隠したり（他端側回路部５５が見えることで見栄えが悪くなることを防止する）、第１冷陰極蛍光管７１及び第２冷陰極蛍光管７２からの光をその他主表面により反射することでその他主表面側への照射光量を増加させる効果を奏する。
他端側回路部５５は、後述するように一端側回路部５３と接続配線８１により電気的に接続されることにより、第１冷陰極蛍光管７１及び第２冷陰極蛍光管７２を点灯させるための電気回路を形成する。なお、ここでは図示及び理解を容易にするため他端側回路部５５は直方体形状として図示しているが（内部構造は省略）、これに限定されるものではなくいかなる形状であってもよい（例えば、他端側板状部４８の一主表面に面するように電子回路基板を配設し、該電子回路基板上に必要な電子素子や電子器具を目視可能（露出状態）に設けるようなものであってもよい。）。
他端側係止部６３は、柔軟な樹脂材料により形成され、他端側固定部材４３の該他面に取り付けられている。詳述すれば、他端側係止部６３は、第１冷陰極蛍光管７１の他端を係止するＵの字の樋に似た形状の第１他端係止部６３ａと、第２冷陰極蛍光管７２の他端を係止するＵの字の樋に似た形状の第２他端係止部（図に現れない）と、第１他端係止部６３ａと第２他端係止部とを連結する中間部６３ｃと、を含んでなる（なお、第１他端係止部６３ａ、第２他端係止部及び中間部６３ｃの形状や構造等は上述の第１一端係止部６１ａ、第２一端係止部６１ｂ及び中間部６１ｃと同様である。）。この第１他端係止部６３ａのＵの字の樋の内部に第１冷陰極蛍光管７１の他端が嵌入されることで該他端が支持されると共に、第２他端係止部のＵの字の樋の内部に第２冷陰極蛍光管７２の他端が嵌入されることで該他端が支持されている。
このようにして第１冷陰極蛍光管７１の一端が一端側係止部６１の第１一端係止部６１ａに係止されると共に第１冷陰極蛍光管７１の他端が他端側係止部６３の第１他端係止部６３ａに係止されることで第１冷陰極蛍光管７１が支持されている。そして同様に、第２冷陰極蛍光管７２の一端が一端側係止部６１の第２一端係止部６１ｂに係止されると共に第２冷陰極蛍光管７２の他端が他端側係止部６３の第２他端係止部に係止されることで第２冷陰極蛍光管７２が支持されている。なお、他端側板状部４８と一端側板状部３８と第２の直円柱の軸とが略存する一平面と第１冷陰極蛍光管７１とは距離Ｄ１にて略平行に配設されると共に、該一平面と第２冷陰極蛍光管７２とは距離Ｄ２（但しＤ１＝Ｄ２）にて略平行に配設され、そして第１冷陰極蛍光管７１と第２冷陰極蛍光管７２と第２の直円柱の軸とは略平行になっている。
【００２６】
接続配線８１は、図４に示す如く、一端側回路部５３と他端側回路部５５とを電気的に接続することで、第１冷陰極蛍光管７１及び第２冷陰極蛍光管７２を点灯させるための電気回路７５を形成する。一般的に、商用電源（通常は１００Ｖ、交流。なお、外国等で多用される２４０Ｖ、日本国内の三相２４０Ｖ、単相２００Ｖ等を用いてもよい。）を電源として冷陰極蛍光管を点灯させるためには、インバータ回路部（通常、整流回路、昇圧回路、発信回路等を含む）を要し、さらに場合によっては周囲の電子機器へノイズを発生しないようなノイズ対策回路（電気ノイズや電磁ノイズを生じないようにするための回路）や安全回路（過電流からの保護等）等を設けることもある（かかる冷陰極蛍光管を点灯させるための電気回路構成は既知であるので、ここでは詳細な説明を省略する。）。ここではインバータ回路部を一端側回路部５３に収容される一端側部と、他端側回路部５５に収容される他端側部と、に分割し、該分割された一端側部及び他端側部を接続配線８１により電気的に接続することでインバータ回路部として機能させる。また、ノイズ対策回路及び安全回路についても、インバータ回路部と同様に一端側回路部５３と他端側回路部５５とに分割し、接続配線８１により電気的に接続することでこれらの回路として機能するようにしている。
なお、ここでは図４に示す通り、一対の電極棒３７ａ、３７ｂから第１冷陰極蛍光管７１及び第２冷陰極蛍光管７２を点灯させるための電力を取得しており、一対の電極棒４７ａ、４７ｂは点灯させることに寄与していないが（一対の電極棒４７ａ、４７ｂは電気的に絶縁された状態である。）、一対の電極棒３７ａ、３７ｂと一対の電極棒４７ａ、４７ｂとを従来の蛍光灯を取り付けるソケットに挿入し取り付けることにより本照明具１１を従来の蛍光灯を取り付けるソケットに支持させることができる（勿論、かかる状態においては、ソケットから一対の電極棒３７ａ、３７ｂは電力供給を受ける。）。また、これに限定されるものではなく、一対の電極棒３７ａ、３７ｂと一対の電極棒４７ａ、４７ｂとの少なくとも２の電極棒により電力供給を受けるようにできる（例えば、電極棒３７ａと電極棒４７ｂとによって電力供給を受けるようにしてもよい。）。
【００２７】
支持パイプ８５は、上記のように一端側回路部５３と他端側回路部５５とを電気的に接続する接続配線８１を、支持パイプ８５の内部空間８２に収容し支持する。支持パイプ８５は、ここでは白色の樹脂（具体的には、ポリプロピレンやポリエチレンテレフタレート等）によって形成され、直径Ｒ３で高さＨ２の第３の直円柱から直径Ｒ４（Ｒ３＞Ｒ４）で高さＨ２の第４の直円柱を両直円柱の軸を一致させた状態でくり抜いた形状（直円筒形状）を有しており（無論、前述のＲ２及びＨ１とは、Ｒ２＞Ｒ３かつＨ１＞Ｈ２）、さらに該軸に平行に連続したスリット８４が形成されている。このように支持パイプ８５は、一端と他端とが開放された中空のパイプ形状を有しており、該パイプ形状の長手方向に沿って連続したスリット８４が形成されているので、スリット８４を経て接続配線８１を内部空間８２に装入したり内部空間８２に保持された接続配線８１をスリット８４を経て抜き取ることができる。
また、支持パイプ８５の外面は、第１冷陰極蛍光管７１及び第２冷陰極蛍光管７２から発せられる光を高い反射率で反射する。
【００２８】
固定具９１は、樹脂製の同じものが略等間隔に４個配設されており、いずれも下部にて第１冷陰極蛍光管７１及び第２冷陰極蛍光管７２を支持すると共に上部にて支持パイプ８５を支持している。詳細には、固定具９１は、支持パイプ８５に外嵌されるパイプ支持部９２（アルファベットの「Ｃ」の字に似た形状）と、第１冷陰極蛍光管７１に外嵌される第１蛍光管支持部９３ａ（アルファベットの「Ｃ」の字に似た形状）と、第２冷陰極蛍光管７２に外嵌される第２蛍光管支持部９３ｂ（アルファベットの「Ｃ」の字に似た形状）と、パイプ支持部９２と第１蛍光管支持部９３ａと第２蛍光管支持部９３ｂとを連結する本体部９４と、を有してなる。そして本体部９４は、外管２１の内面２６に先端が当接する一対の内面当接突起９６ａ、９６ｂを有しており、これら内面当接突起９６ａ、９６ｂが外管２１の内面２６に当接することで外管２１の内部空間２２の所定位置において第１冷陰極蛍光管７１、第２冷陰極蛍光管７２及び支持パイプ８５を安定的に支持している。これら外管２１が形成する直円筒の軸に沿って略等間隔に外管２１の内部空間２２に配設された４の固定具９１により、第１冷陰極蛍光管７１、第２冷陰極蛍光管７２及び支持パイプ８５は互いに略平行になるように内部空間２２において支持されている。
【００２９】
以上のように、本照明具１１は、従来の蛍光灯を取り付けるソケットに一対の電極棒３７ａ、３７ｂと一対の電極棒４７ａ、４７ｂとを差し込み取り付けることで従来の蛍光灯に替え照明具として使用することができる。
本照明具１１においては、特に図３に示す通り、第１冷陰極蛍光管７１及び第２冷陰極蛍光管７２により発せられる光を遮る一端側回路部５３の一部が一端側口金３１の内部空間３２に収容されているので、第１冷陰極蛍光管７１及び第２冷陰極蛍光管７２の長手方向に沿った寸法のうち寸法ｙ１のみについて光が一端側回路部５３により遮られるに留まる（一端側回路部５３が全く一端側口金３１の内部空間３２に収容されていなければ、寸法（ｘ１＋ｙ１）について光が一端側回路部５３により遮られる。）。従って、寸法ｘ１について光が一端側回路部５３により遮られることを減少させることができる。
また、第１冷陰極蛍光管７１及び第２冷陰極蛍光管７２により発せられる光を遮る他端側回路部５５の一部が他端側口金４１の内部空間４２に収容されているので、第１冷陰極蛍光管７１及び第２冷陰極蛍光管７２の長手方向に沿った寸法のうち寸法ｙ２のみについて光が他端側回路部５５により遮られるに留まる（他端側回路部５５が全く他端側口金４１の内部空間４２に収容されていなければ、寸法（ｘ２＋ｙ２）について光が他端側回路部５５により遮られる。）。従って、寸法ｘ２について光が一端側回路部５３により遮られることを減少させることができる。
【００３０】
このことは、例えば、一端側回路部５３と他端側回路部５５とを一体にして一体回路部（不図示）としたと仮定すると、一体回路部の前記長手方向に沿った寸法は（ｘ１＋ｙ１＋ｘ２＋ｙ２）に略なると考えられる。この一体回路部を一端側口金３１の内部空間３２及び他端側口金４１の内部空間４２のいずれにも全く収容しなければ光は該寸法（ｘ１＋ｙ１＋ｘ２＋ｙ２）の分が遮られるし、一体回路部を一端側口金３１の内部空間３２に長さｘ１（図３と同様）だけ収容したとしても光は（ｙ１＋ｘ２＋ｙ２）の分が遮られてしまう。このように本照明具１１においては、一端側回路部５３の一部を一端側口金３１の内部空間３２に収容すると共に他端側回路部５５の一部を他端側口金４１の内部空間４２に収容することにより、一体回路部とする場合に光が遮られる寸法を（ｘ１＋ｙ１＋ｘ２＋ｙ２）又は（ｙ１＋ｘ２＋ｙ２）から（ｙ１＋ｙ２）に減少させることができるものである。
なお、第１冷陰極蛍光管７１及び第２冷陰極蛍光管７２により発せられる光は支持パイプ８５により遮られるが、支持パイプ８５は十分細いものであるので一端側回路部５３及び他端側回路部５５により単位長さ当たり遮られる光の量に比して支持パイプ８５により遮られる光の量は十分小さく、加えて、支持パイプ８５の外面は光を高い反射率で反射することから支持パイプ８５によって光が無駄になる量は無視し得る程度であるので、支持パイプ８５が存していても長手方向に対して垂直な断面（例えば、図２（ｂ））において外管２１の外面のいずれの位置からも光が放出される（略３６０度に光が放射される）。
このように一端側回路部５３の一部を一端側口金３１の内部空間３２に収容すると共に他端側回路部５５の一部を他端側口金４１の内部空間４２に収容することにより、一体回路部とする場合に比して光が十分に照射されない部分を小さくすることができる（第１実施形態においては上述のように（ｘ１＋ｙ１＋ｘ２＋ｙ２）又は（ｙ１＋ｘ２＋ｙ２）から（ｙ１＋ｙ２）へ小さくする）。こうすることで光が十分に照射されない部分が回路部により意図しない位置に形成される可能性を低下させ、本照明具１１では光が十分に照射されない部分が意図しない位置に形成されることを防止又は減少させることができる。
【００３１】
（第２実施形態）
図５は、本発明の第２実施形態に係る照明具（本照明具）２１１の平面図（一部省略）であり（想定される設置状態において本照明具２１１を上から見たところを示している。なお、以下、図中、上方向を矢印Ｚ１にて、下方向を矢印Ｚ２にて、それぞれ示す。）、図６（ａ）は図５のＡ−Ａ断面図であり、図６（ｂ）は図５のＢ−Ｂ端面図であり、図７は図５のＦ−Ｆ断面図（一部省略）である。なお、図５のＣ−Ｃ端面、Ｄ−Ｄ端面及びＱ−Ｑ端面は、図６（ｂ）に示されるＢ−Ｂ端面と同様の構造であり、そして図５のＥ−Ｅ断面は、図６（ａ）に示されるＡ−Ａ断面と同様の構造である。また、第２実施形態の本照明具２１１は、第１実施形態の本照明具１１に比し、支持溝材２８５及び固定具２９１が支持パイプ８５及び固定具９１と異なるのみでありその余りは同様であるので、本照明具２１１において本照明具１１と同様の要素については同じ参照番号を付すことで重複する説明を省略する（必要に応じ本照明具１１の説明を参照されたい）。
【００３２】
本照明具２１１は、大まかには、中空な直円筒形状をなす外管２１と、外管２１の一端に取り付けられた一端側口金３１と、一端側口金３１の内面３１ａに取り付けられた一端側固定部材３３と、一端側固定部材３３に取り付けられた一端側回路部５３（内部構造は省略している）と、一端側固定部材３３に取り付けられた一端側板状部３８と、一端側固定部材３３に取り付けられた一端側係止部６１と、外管２１の他端に取り付けられた他端側口金４１と、他端側口金４１の内面４１ａに取り付けられた他端側固定部材４３と、他端側固定部材４３に取り付けられた他端側回路部５５（内部構造は省略している）と、他端側固定部材４３に取り付けられた他端側板状部４８と、他端側固定部材４３に取り付けられた他端側係止部６３と、一端側係止部６１に一端が係止されると共に他端側係止部６３に他端が係止された第１冷陰極蛍光管７１及び第２冷陰極蛍光管７２と、一端側回路部５３と他端側回路部５５とを電気的に接続する接続配線８１と、接続配線８１を内部空間２８２に収容し支持する支持溝材２８５と、第１冷陰極蛍光管７１と第２冷陰極蛍光管７２と支持溝材２８５とを互いに固定する固定具２９１と、一端側口金３１の外面３１ｂに取り付けられた一対の電極棒３７ａ、３７ｂと、他端側口金４１の外面４１ｂに取り付けられた一対の電極棒４７ａ、４７ｂと、を有してなる。
なお、本照明具１１と同様に図示及び理解を容易にするため、一対の電極棒３７ａ、３７ｂと一端側回路部５３とを電気的に接続する電気配線、一端側回路部５３及び他端側回路部５５と第１冷陰極蛍光管７１の両端とを電気的に接続する電気配線、そして一端側回路部５３及び他端側回路部５５と第２冷陰極蛍光管７２の両端とを電気的に接続する電気配線については図示を省略している（実際は、これらは図４に示すように電気的に接続されている。）。
【００３３】
本照明具２１１における外管２１、一端側口金３１、一端側固定部材３３、一端側回路部５３、一端側板状部３８、一端側係止部６１、他端側口金４１、他端側固定部材４３、他端側回路部５５、他端側板状部４８、他端側係止部６３、第１冷陰極蛍光管７１、第２冷陰極蛍光管７２、接続配線８１、電極棒３７ａ、３７ｂ及び電極棒４７ａ、４７ｂについては、本照明具１１のものと同様である（説明を省略する）。
【００３４】
支持溝材２８５は、上記のように一端側回路部５３と他端側回路部５５とを電気的に接続する接続配線８１を内部空間２８２に収容し支持する。支持溝材２８５は、ここでは白色の樹脂（具体的には、ポリプロピレンやポリエチレンテレフタレート等）によって一体に形成され、長手方向に沿った真っ直ぐな底板部２８６ａ（両主表面いずれも細長い長方形を略なす）と、底板部２８６ａの両長縁のうち一長縁に沿って立ち上がるように形成された一側壁部２８６ｂと、底板部２８６ａの両長縁のうち他長縁に沿って立ち上がるように形成された他側壁部２８６ｃと、を有してなり（なお、一側壁部２８６ｂと他側壁部２８６ｃとは互いに略平行であると共に、一側壁部２８６ｂ及び他側壁部２８６ｃと底板部２８６ａとは略垂直である。）、この底板部２８６ａと一側壁部２８６ｂと他側壁部２８６ｃとによって取り囲まれ上面が開放された内部空間２８２を長手方向に沿って有している。全体として支持溝材２８５は、真っ直ぐな長手方向に沿った棒状をなしており、該長手方向に対して垂直ないずれの断面も片仮名の「コ」の字の同じ形状を略なしている。このように支持溝材２８５は、一端と他端と上面が開放された中空の溝形状を有しており、該溝形状の長手方向に沿って連続して上面が開放されているので、開放された上面を経て接続配線８１を内部空間２８２に装入したり内部空間２８２に装入された接続配線８１を該開放された上面を経由して抜き取ることができる。
また、支持溝材２８５の外面は、第１冷陰極蛍光管７１及び第２冷陰極蛍光管７２から発せられる光を高い反射率で反射する。
【００３５】
固定具２９１は、樹脂製の同じものが略等間隔に４個配設されており、いずれも下部にて第１冷陰極蛍光管７１及び第２冷陰極蛍光管７２を支持すると共に上部にて支持溝材２８５を支持している。詳細には、固定具２９１は、支持溝材２８５に外嵌される溝材支持部２９２と、第１冷陰極蛍光管７１に外嵌される第１蛍光管支持部９３ａ（アルファベットの「Ｃ」の字に似た形状）と、第２冷陰極蛍光管７２に外嵌される第２蛍光管支持部９３ｂ（アルファベットの「Ｃ」の字に似た形状）と、溝材支持部２９２と第１蛍光管支持部９３ａと第２蛍光管支持部９３ｂとを連結する本体部２９４と、を有してなる。溝材支持部２９２は、支持溝材２８５の外面に沿って該外面に当接する溝材支持本体部２９２ａと、溝材支持本体部２９２ａから支持溝材２８５が不意に脱落することを防止する一対の係止爪部２９２ｂ、２９２ｂと、を含んでなる（特に、図６（ｂ）参照）。一対の係止爪部２９２ｂ、２９２ｂの間を拡げるようにして溝材支持本体部２９２ａに支持溝材２８５を嵌入することで、固定具２９１を支持溝材２８５に固定できる。そして本体部２９４は、外管２１の内面２６に先端が当接する一対の内面当接突起９６ａ、９６ｂを有しており、これら内面当接突起９６ａ、９６ｂが外管２１の内面２６に当接することで外管２１の内部空間２２の所定位置において第１冷陰極蛍光管７１、第２冷陰極蛍光管７２及び支持溝材２８５を安定的に支持している。これら外管２１が形成する直円筒の軸に沿って略等間隔に外管２１の内部空間２２に配設された４の固定具２９１により、該軸、第１冷陰極蛍光管７１、第２冷陰極蛍光管７２及び支持溝材２８５は互いに略平行になるように内部空間２２において支持されている。
【００３６】
以上のように、本照明具２１１は、本照明具１１と同様、従来の蛍光灯を取り付けるソケットに一対の電極棒３７ａ、３７ｂと一対の電極棒４７ａ、４７ｂとを差し込み取り付けることで従来の蛍光灯に替え照明具として使用できる。
本照明具２１１においては、特に図７に示す通り、第１冷陰極蛍光管７１及び第２冷陰極蛍光管７２により発せられる光を遮る一端側回路部５３の一部が一端側口金３１の内部空間３２に収容されているので、第１冷陰極蛍光管７１及び第２冷陰極蛍光管７２の長手方向に沿った寸法のうち寸法ｙ１のみについて光が一端側回路部５３により遮られるに留まる（一端側回路部５３が全く一端側口金３１の内部空間３２に収容されていなければ、寸法（ｘ１＋ｙ１）について光が一端側回路部５３により遮られる。）。従って、寸法ｘ１について光が一端側回路部５３により遮られることを減少させることができる。
また、第１冷陰極蛍光管７１及び第２冷陰極蛍光管７２により発せられる光を遮る他端側回路部５５の一部が他端側口金４１の内部空間４２に収容されているので、第１冷陰極蛍光管７１及び第２冷陰極蛍光管７２の長手方向に沿った寸法のうち寸法ｙ２のみについて光が他端側回路部５５により遮られるに留まる（他端側回路部５５が全く他端側口金４１の内部空間４２に収容されていなければ、寸法（ｘ２＋ｙ２）について光が他端側回路部５５により遮られる。）。従って、寸法ｘ２について光が一端側回路部５３により遮られることを減少させることができる。
【００３７】
このことは、例えば、一端側回路部５３と他端側回路部５５とを一体にして一体回路部（不図示）としたと仮定すると、一体回路部の前記長手方向に沿った寸法は（ｘ１＋ｙ１＋ｘ２＋ｙ２）に略なると考えられる。この一体回路部を一端側口金３１の内部空間３２及び他端側口金４１の内部空間４２のいずれにも全く収容しなければ光は該寸法（ｘ１＋ｙ１＋ｘ２＋ｙ２）の分が遮られるし、一体回路部を一端側口金３１の内部空間３２に長さｘ１（図７と同様）だけ収容したとしても光は（ｙ１＋ｘ２＋ｙ２）の分が遮られてしまう。このように本照明具２１１においては、一端側回路部５３の一部を一端側口金３１の内部空間３２に収容すると共に他端側回路部５５の一部を他端側口金４１の内部空間４２に収容することにより、一体回路部とする場合に光が遮られる寸法を（ｘ１＋ｙ１＋ｘ２＋ｙ２）又は（ｙ１＋ｘ２＋ｙ２）から（ｙ１＋ｙ２）に減少させることができるものである。
なお、第１冷陰極蛍光管７１及び第２冷陰極蛍光管７２により発せられる光は支持溝材２８５により遮られるが、支持溝材２８５は十分細い（幅が小さい）ものであるので一端側回路部５３及び他端側回路部５５により単位長さ当たり遮られる光の量に比して支持溝材２８５により遮られる光の量は小さく、加えて、支持溝材２８５の外面は光を高い反射率で反射することから支持溝材２８５によって光が無駄になる量は無視し得る程度であるので、支持溝材２８５が存していても長手方向に対して垂直な断面（例えば、図６（ｂ））において外管２１の外面のいずれの位置からも光が放出される（略３６０度に光が放射される）。
このように一端側回路部５３の一部を一端側口金３１の内部空間３２に収容すると共に他端側回路部５５の一部を他端側口金４１の内部空間４２に収容することにより、一体回路部とする場合に比して光が十分に照射されない部分を小さくすることができる（第２実施形態においては上述のように（ｘ１＋ｙ１＋ｘ２＋ｙ２）又は（ｙ１＋ｘ２＋ｙ２）から（ｙ１＋ｙ２）へ小さくする）。こうすることで光が十分に照射されない部分が回路部により意図しない位置に形成される可能性を低下させ、本照明具２１１では光が十分に照射されない部分が意図しない位置に形成されることを防止又は減少させることができる。
【００３８】
（第３実施形態）
図８は、本発明の第３実施形態に係る照明具（本照明具）３１１の平面図（一部省略）であり（想定される設置状態において本照明具３１１を上から見たところを示している。なお、以下、図中、上方向を矢印Ｚ１にて、下方向を矢印Ｚ２にて、それぞれ示す。）、図９（ａ）は図８のＡ−Ａ断面図であり、図９（ｂ）は図８のＢ−Ｂ端面図であり、図１０は図８のＫ−Ｋ端面図であり、図１１は図８のＦ−Ｆ断面図（一部省略）である。なお、図８のＣ−Ｃ端面及びＤ−Ｄ端面は、図９（ｂ）に示されるＢ−Ｂ端面と同様の構造であり、そして図８のＥ−Ｅ断面は図９（ａ）に示されるＡ−Ａ断面と同様の構造である。また、第３実施形態の本照明具３１１は、第１実施形態の本照明具１１における一端側板状部３８、他端側板状部４８及び４の固定具９１が支持板部３３８になったことが異なるのみでありその余りは同様であるので、本照明具３１１において本照明具１１と同様の要素については同じ参照番号を付すことで重複する説明を省略する（必要に応じ本照明具１１の説明を参照されたい）。
【００３９】
本照明具３１１は、大まかには、中空な直円筒形状をなす外管２１と、外管２１の一端に取り付けられた一端側口金３１と、一端側口金３１の内面３１ａに取り付けられた一端側固定部材３３と、一端側固定部材３３に取り付けられた一端側回路部５３（内部構造は省略している）と、一端側固定部材３３に取り付けられた一端側係止部６１と、外管２１の他端に取り付けられた他端側口金４１と、他端側口金４１の内面４１ａに取り付けられた他端側固定部材４３と、他端側固定部材４３に取り付けられた他端側回路部５５（内部構造は省略している）と、他端側固定部材４３に取り付けられた他端側係止部６３と、一端側係止部６１に一端が係止されると共に他端側係止部６３に他端が係止された第１冷陰極蛍光管７１及び第２冷陰極蛍光管７２と、一端側回路部５３と他端側回路部５５とを電気的に接続する接続配線８１と、接続配線８１を内部空間８２に収容し支持する支持パイプ８５と、一方側の縁部が一端側固定部材３３に取り付けられると共に他方側の縁部が他端側固定部材４３に取り付けられた支持板部３３８と、一端側口金３１の外面３１ｂに取り付けられた一対の電極棒３７ａ、３７ｂと、他端側口金４１の外面４１ｂに取り付けられた一対の電極棒４７ａ、４７ｂと、を有してなる。
なお、図示及び理解を容易にするため、一対の電極棒３７ａ、３７ｂと一端側回路部５３とを電気的に接続する電気配線、一端側回路部５３及び他端側回路部５５と第１冷陰極蛍光管７１の両端とを電気的に接続する電気配線、そして一端側回路部５３及び他端側回路部５５と第２冷陰極蛍光管７２の両端とを電気的に接続する電気配線については図示を省略している（実際は、これらは図４に示すように電気的に接続されている。）。
【００４０】
本照明具３１１における外管２１、一端側口金３１、一端側固定部材３３、一端側回路部５３、一端側係止部６１、他端側口金４１、他端側固定部材４３、他端側回路部５５、他端側係止部６３、第１冷陰極蛍光管７１、第２冷陰極蛍光管７２、接続配線８１、支持パイプ８５、電極棒３７ａ、３７ｂ及び電極棒４７ａ、４７ｂについては、本照明具１１のものと同様である。
【００４１】
支持板部３３８は、ここでは白色の樹脂（具体的には、ポリプロピレンやポリエチレンテレフタレート等）によって形成され、詳しくは、両主表面が同じ長方形をなす板状部材により構成される支持板部本体部３３９ａと、支持板部本体部３３９ａの両主表面のうち支持パイプ８５側の主表面（上面）に形成され支持パイプ８５に外嵌されるパイプ支持部９２（アルファベットの「Ｃ」の字に似た形状である。該両主表面のうち支持パイプ８５側の主表面（上面）が形成する略長方形の４辺のうち一対の長辺に平行かつ該一対の長辺のいずれからも等しい距離に存する該主表面上に存する仮想上の線分に沿ってパイプ支持部９２は等間隔に形成されている。）と、支持板部本体部３３９ａの両主表面のうち第１冷陰極蛍光管７１及び第２冷陰極蛍光管７２の側の主表面（下面）に形成され第１冷陰極蛍光管７１に外嵌される第１蛍光管支持部９３ａ（アルファベットの「Ｃ」の字に似た形状）と、該主表面（下面）に形成され第２冷陰極蛍光管７２に外嵌される第２蛍光管支持部９３ｂ（アルファベットの「Ｃ」の字に似た形状）と、を有してなる。
支持板部本体部３３９ａには、その両主表面のうち支持パイプ８５側の主表面（上面）が形成する略長方形の４辺のうち一対の長辺の一方の一長辺に略平行かつ該一長辺から距離Ｄ６の該主表面上に存する仮想上の線分に沿って等間隔に形成された開口３３９ａｈ１（ここでは細長い形状に形成されている）と、該一対の長辺の他方の他長辺に略平行かつ該他長辺から距離Ｄ７（但しここではＤ７＝Ｄ６）の該主表面上に存する仮想上の線分に沿って等間隔に形成された開口３３９ａｈ２（ここでは細長い形状に形成されている）と、が形成されており、該主表面（上面）に対して垂直方向から見ると（例えば図８）、開口３３９ａｈ１から第１冷陰極蛍光管７１がその長手方向に沿って観察されると共に開口３３９ａｈ２から第２冷陰極蛍光管７２がその長手方向に沿って観察される。そして、支持板部本体部３３９ａの両主表面が形成する略長方形の４辺のうち一対の長辺に沿って支持板部本体部３３９ａが外管２１の内面２６に当接する（図示及び理解を容易にするため、図においては支持板部本体部３３９ａと内面２６との間の隙間を拡げて図示している。）と共に支持板部本体部３３９ａの一方側の縁部が一端側固定部材３３に取り付けられ他方側の縁部が他端側固定部材４３に取り付けられることで、支持板部３３８が外管２１の内部空間２２の所定位置において第１冷陰極蛍光管７１、第２冷陰極蛍光管７２及び支持パイプ８５を安定的に支持している。外管２１が形成する直円筒の軸、第１冷陰極蛍光管７１、第２冷陰極蛍光管７２及び支持パイプ８５は互いに略平行になるように内部空間２２において支持板部３３８により支持されている。
開口３３９ａｈ１及び開口３３９ａｈ２のいずれも、第１冷陰極蛍光管７１及び第２冷陰極蛍光管７２が発する光を上方（支持パイプ８５が存する側）に向けて通過させるので、本照明具３１１においては上方に向けても外管２１の外面から光が放出される。この上方に向けた光の量及び方向は開口３３９ａｈ１及び開口３３９ａｈ２の位置、個数、形状及び寸法等によって自由に調節できる。
【００４２】
以上のように、本照明具３１１は、従来の蛍光灯を取り付けるソケットに一対の電極棒３７ａ、３７ｂと一対の電極棒４７ａ、４７ｂとを差し込み取り付けることで従来の蛍光灯に替え照明具として使用できる。
本照明具３１１においては、上述の如く、第１冷陰極蛍光管７１及び第２冷陰極蛍光管７２が発する光は開口３３９ａｈ１及び開口３３９ａｈ２を通過して上方（支持パイプ８５が存する側）に向けて照射される。これら開口３３９ａｈ１及び開口３３９ａｈ２のいずれも位置、個数、形状及び寸法等を自由に選んで支持板部本体部３３９ａに形成することができ、それによって第１冷陰極蛍光管７１及び第２冷陰極蛍光管７２が発する光を上方（支持パイプ８５が存する側）に向けて自由な量で自由な位置及び方向に照射することができる。
このように本照明具３１１においては、開口３３９ａｈ１及び開口３３９ａｈ２の位置、個数、形状及び寸法等を自由に選ぶことで第１冷陰極蛍光管７１及び第２冷陰極蛍光管７２が発する光を所望量で自由な位置及び方向によって上方に照射することができるが、このときも一端側回路部５３及び他端側回路部５５を光が透過できないので一端側回路部５３及び他端側回路部５５により光が十分に照射されない部分が形成されることが問題となる（換言すれば、開口３３９ａｈ１及び開口３３９ａｈ２を形成しても、これらの開口を通過した光が一端側回路部５３及び他端側回路部５５により遮られるものであれば、これらの開口を形成しても光が十分に照射されない部分が形成されるので開口を形成する意義がない。）。このため本照明具３１１においても光が回路部により遮られることを減少させる必要がある。
かかる点から、本照明具３１１においては、特に図１１に示す通り、第１冷陰極蛍光管７１及び第２冷陰極蛍光管７２により発せられる光（開口３３９ａｈ１及び開口３３９ａｈ２を通過した光）を遮る一端側回路部５３の一部が一端側口金３１の内部空間３２に収容されているので、第１冷陰極蛍光管７１及び第２冷陰極蛍光管７２の長手方向に沿った寸法のうち寸法ｙ１のみについて光が一端側回路部５３により遮られるに留まる（一端側回路部５３が全く一端側口金３１の内部空間３２に収容されていなければ、寸法（ｘ１＋ｙ１）について光が一端側回路部５３により遮られる。）。従って、寸法ｘ１について光が一端側回路部５３により遮られることを減少させることができる。
また、第１冷陰極蛍光管７１及び第２冷陰極蛍光管７２により発せられる光（開口３３９ａｈ１及び開口３３９ａｈ２を通過した光）を遮る他端側回路部５５の一部が他端側口金４１の内部空間４２に収容されているので、第１冷陰極蛍光管７１及び第２冷陰極蛍光管７２の長手方向に沿った寸法のうち寸法ｙ２のみについて光が他端側回路部５５により遮られるに留まる（他端側回路部５５が全く他端側口金４１の内部空間４２に収容されていなければ、寸法（ｘ２＋ｙ２）について光が他端側回路部５５により遮られる。）。従って、寸法ｘ２について光が一端側回路部５３により遮られることを減少させることができる。
【００４３】
このことは、例えば、一端側回路部５３と他端側回路部５５とを一体にして一体回路部（不図示）としたと仮定すると、一体回路部の前記長手方向に沿った寸法は（ｘ１＋ｙ１＋ｘ２＋ｙ２）に略なると考えられる。この一体回路部を一端側口金３１の内部空間３２及び他端側口金４１の内部空間４２のいずれにも全く収容しなければ光（開口３３９ａｈ１及び開口３３９ａｈ２を通過した光）は該寸法（ｘ１＋ｙ１＋ｘ２＋ｙ２）の分が遮られるし、一体回路部を一端側口金３１の内部空間３２に長さｘ１（図１１と同様）だけ収容したとしても光は（ｙ１＋ｘ２＋ｙ２）の分が遮られてしまう。このように本照明具３１１においては、一端側回路部５３の一部を一端側口金３１の内部空間３２に収容すると共に他端側回路部５５の一部を他端側口金４１の内部空間４２に収容することにより、一体回路部とする場合に光（開口３３９ａｈ１及び開口３３９ａｈ２を通過した光）が遮られる寸法を（ｘ１＋ｙ１＋ｘ２＋ｙ２）又は（ｙ１＋ｘ２＋ｙ２）から（ｙ１＋ｙ２）に減少させることができるものである。
このように一端側回路部５３の一部を一端側口金３１の内部空間３２に収容すると共に他端側回路部５５の一部を他端側口金４１の内部空間４２に収容することにより、一体回路部とする場合に比し、開口３３９ａｈ１及び開口３３９ａｈ２をどのように形成しても光が十分に照射されない部分（回路部による遮光）を小さくすることができる（第３実施形態においては上述のように（ｘ１＋ｙ１＋ｘ２＋ｙ２）又は（ｙ１＋ｘ２＋ｙ２）から（ｙ１＋ｙ２）へ小さくする）。こうすることで光が十分に照射されない部分が回路部により意図しない位置に形成される可能性を低下させ、本照明具３１１では光が十分に照射されない部分が意図しない位置に形成されることを防止又は減少させることができる（不可避な回路部による遮光を小さくすることで、開口の位置、個数、形状及び寸法等を自由に選択して支持板部本体部３３９ａに開口を形成することで、第１冷陰極蛍光管７１及び第２冷陰極蛍光管７２が発する光を上方（支持パイプ８５が存する側）に向けてより自由な量でより自由な位置及び方向に照射することができる。）。
【００４４】
以上説明した通り、本照明具１１、本照明具２１１及び本照明具３１１は、曲線の上に存する異なる２点である第１点及び第２点を両端とする該曲線の一部である基準曲線部分に沿って電気的に発光する発光手段（ここでは直線（曲線に含まれる）の上に存する異なる２点である第１点（第１冷陰極蛍光管７１の一端）及び第２点（第１冷陰極蛍光管７１の他端）を両端とする該曲線の一部である基準曲線部分（ここでは第１点と第２点とを結ぶ線分）に沿って電気的に発光する第１冷陰極蛍光管７１と、直線（曲線に含まれる）の上に存する異なる２点である第１点（第２冷陰極蛍光管７２の一端）及び第２点（第２冷陰極蛍光管７２の他端）を両端とする該曲線の一部である基準曲線部分（ここでは第１点と第２点とを結ぶ線分）に沿って電気的に発光する第２冷陰極蛍光管７２と、により構成される。）と、第１点側に存し内部空間３２を有する第１点側口金（ここでは一端側口金３１）と、第２点側に存し内部空間４２を有する第２点側口金（ここでは他端側口金４１）と、第１点側口金（一端側口金３１）及び第２点側口金（他端側口金４１）の一方又は両方の外面（ここでは一方たる第１点側口金（一端側口金３１）の外面）に形成された少なくとも２の電極部（ここでは一対の電極棒３７ａ、３７ｂ）と、該少なくとも２の電極部（電極棒３７ａ、３７ｂ）に電気的に接続され、発光手段（第１冷陰極蛍光管７１、第２冷陰極蛍光管７２）に給電することで発光手段（第１冷陰極蛍光管７１、第２冷陰極蛍光管７２）を発光させる給電手段（ここでは一端側回路部５３、他端側回路部５５、接続配線８１及び支持部材（本照明具１１及び本照明具３１１においては支持パイプ８５であり、本照明具２１１においては支持溝材２８５である。）を含んでなる。）と、を備えてなり、給電手段が、第１点側口金（一端側口金３１）の内部空間３２に少なくとも一部が収容された第１点側回路部（ここでは一端側回路部５３）と、第２点側口金（他端側口金４１）の内部空間４２に少なくとも一部が収容された第２点側回路部（ここでは他端側回路部５５）と、第１点側回路部（一端側回路部５３）と第２点側回路部（他端側回路部５５）とを電気的に接続する接続配線８１と、第１点側回路部（一端側回路部５３）と第２点側回路部（他端側回路部５５）との間の少なくとも一部において接続配線８１を支持する支持部材（本照明具１１及び本照明具３１１においては支持パイプ８５、本照明具２１１においては支持溝材２８５）と、を含んでなるものである、照明具である。
【００４５】
本照明具１１、本照明具２１１及び本照明具３１１においては、前記支持部材（本照明具１１及び本照明具３１１においては支持パイプ８５、本照明具２１１においては支持溝材２８５）が、接続配線８１を下から連続的に支持する支持面（支持パイプ８５では内部空間８２を規定する内面であり、支持溝材２８５では底板部２８６ａの上面である。）を有するものである。
本照明具１１、本照明具２１１及び本照明具３１１においては、前記支持部材（本照明具１１及び本照明具３１１においては支持パイプ８５、本照明具２１１においては支持溝材２８５）が、接続配線８１が連続する方向に対して垂直な平面による断面（例えば、図２（ｂ）、図６（ｂ）、図９（ｂ））において前記支持面（支持パイプ８５では内部空間８２を規定する内面、支持溝材２８５では底板部２８６ａの上面）の両側に前記支持面（支持パイプ８５では内部空間８２を規定する内面、支持溝材２８５では底板部２８６ａの上面）から立ち上がるように形成される側方支持面（該断面において、支持パイプ８５では最下面から両側に上昇する内周面が側方支持面となり、支持溝材２８５では一側壁部２８６ｂ内面と他側壁部２８６ｃ内面とが側方支持面となる。）を有するものである。
本照明具１１、本照明具２１１及び本照明具３１１においては、前記支持部材（本照明具１１及び本照明具３１１においては支持パイプ８５、本照明具２１１においては支持溝材２８５）が、長手方向に沿って連続して内部に形成された内部空間（支持パイプ８５においては内部空間８２、支持溝材２８５においては内部空間２８２）と、該内部空間（支持パイプ８５においては内部空間８２、支持溝材２８５においては内部空間２８２）を外部空間と連通させるように該長手方向に沿って連続して形成された連続連通部（支持パイプ８５においてはスリット８４、支持溝材２８５においては長手方向に沿って連続して開放された上面）と、を有する該長手方向に連続した中空の棒状部材（支持パイプ８５、支持溝材２８５）を含んでなり、該内部空間（支持パイプ８５においては内部空間８２、支持溝材２８５においては内部空間２８２）を規定する該棒状部材（支持パイプ８５、支持溝材２８５）の内面が前記支持面及び前記側方支持面を形成するものである。
本照明具１１及び本照明具３１１においては、前記支持部材（支持パイプ８５）が、連続連通部としてスリット８４が軸に沿って形成された円筒部材（支持パイプ８５）を含んでなるものである。
本照明具２１１においては、前記支持部材（支持溝材２８５）が、連続連通部としてスリット（ここでは長手方向に沿って連続して開放された上面）が長手方向に沿って形成された多角筒部材（ここでは四角筒部材である支持溝材２８５）を含んでなるものである。
【００４６】
本照明具１１、本照明具２１１及び本照明具３１１においては、一方側の開口と他方側の開口とを有し、一方側の開口には第１点側口金（一端側口金３１）が取り付けられると共に他方側の開口には第２点側口金（他端側口金４１）が取り付けられ、発光手段（第１冷陰極蛍光管７１、第２冷陰極蛍光管７２）と給電手段（一端側回路部５３、他端側回路部５５、接続配線８１及び支持部材（本照明具１１及び本照明具３１１においては支持パイプ８５、本照明具２１１においては支持溝材２８５））とを内部（内部空間２２）に収容する中空の透明又は半透明な外管２１を備えてなるものである。
本照明具１１、本照明具２１１及び本照明具３１１においては、前記支持部材（本照明具１１及び本照明具３１１においては支持パイプ８５、本照明具２１１においては支持溝材２８５）に取り付けられ前記外管２１の内面２６に支持されること（ここでは当接すること）で前記支持部材（支持パイプ８５、支持溝材２８５）を支持する支持部材支持手段（ここでは本照明具１１では固定具９１、本照明具２１１では固定具２９１、本照明具３１１では支持板部３３８）を備えるものである。
本照明具１１、本照明具２１１及び本照明具３１１においては、支持部材支持手段（ここでは本照明具１１では固定具９１、本照明具２１１では固定具２９１、本照明具３１１では支持板部３３８）が発光手段（第１冷陰極蛍光管７１、第２冷陰極蛍光管７２）も支持するものである。
本照明具３１１においては、支持部材支持手段（支持板部３３８）が、長手方向に沿った相対する両縁が前記外管２１の内面２６に支持され（ここでは支持板部本体部３３９ａの両主表面が形成する略長方形の４辺のうち一対の長辺に沿って支持板部本体部３３９ａが外管２１の内面２６に当接すること）両主表面を連絡するように開口（開口３３９ａｈ１、開口３３９ａｈ２）が形成された板状部材（支持板部本体部３３９ａ）を含んでなるものである。
本照明具１１、本照明具２１１及び本照明具３１１においては、第１点側口金（一端側口金３１）及び第２点側口金（他端側口金４１）とは、所定の蛍光灯管の口金が接続可能なソケットに接続可能なものである（例えばＪＩＳ規格のＧ１３又はＧＸ１６ｔ等に適合する。）。
【符号の説明】
【００４７】
１１              本照明具（第１実施形態）
２１              外管
２２              内部空間
２６              内面
３１              一端側口金
３１ａ            内面
３１ｂ            外面
３２              内部空間
３３              一端側固定部材
３７ａ、３７ｂ    電極棒
３８              一端側板状部
４１              他端側口金
４１ａ            内面
４１ｂ            外面
４２              内部空間
４３              他端側固定部材
４７ａ、４７ｂ    電極棒
４８              他端側板状部
５３              一端側回路部
５５              他端側回路部
６１              一端側係止部
６１ａ            第１一端係止部
６１ｂ            第２一端係止部
６１ｃ            中間部
６３              他端側係止部
６３ａ            第１他端係止部
６３ｃ            中間部
７１              第１冷陰極蛍光管
７２              第２冷陰極蛍光管
７５              電気回路
８１              接続配線
８２              内部空間
８４              スリット
８５              支持パイプ
９１              固定具
９２              パイプ支持部
９３ａ            第１蛍光管支持部
９３ｂ            第２蛍光管支持部
９４              本体部
９６ａ、９６ｂ    内面当接突起
１０１              照明具
１０３              発光手段
１０５              給電部
１０５ａ            一方側回路部
１０５ｂ            他方側回路部
１０７ａ、１０７ｂ  口金
１０９ａ、１０９ｂ  凹部
２１１              本照明具（第２実施形態）
２８２              内部空間
２８５              支持溝材
２８６ａ            底板部
２８６ｂ            一側壁部
２８６ｃ            他側壁部
２９１              固定具
２９２              溝材支持部
２９２ａ            溝材支持本体部
２９２ｂ            係止爪部
２９４              本体部
３１１              本照明具（第３実施形態）
３３８              支持板部
３３９ａ            支持板部本体部
３３９ａｈ１、３３９ａｈ２  開口
【図１】
2015095308.tif 000003
【図２】
2015095308.tif 000004
【図３】
2015095308.tif 000005
【図４】
2015095308.tif 000006
【図５】
2015095308.tif 000007
【図６】
2015095308.tif 000008
【図７】
2015095308.tif 000009
【図８】
2015095308.tif 000010
【図９】
2015095308.tif 000011
【図１０】
2015095308.tif 000012
【図１１】
2015095308.tif 000013
【図１２】
2015095308.tif 000014
【図１３】
2015095308.tif 000015